(57)【要約】【課題】共同購買システムをコンピュータシステムを用いて事業化する。【解決手段】コンピュータを用いた共同購買方法において、仮入札前処理では、対象購買商品について、基本バイヤからの共同購買実施申し込みを受け付けて、基本バイヤ還元率を決定し、市場価格を設定するようにし、仮入札実行処理段階では、基本バイヤの購買数量に基づいた仮入札を実施し、仮単価を決定し、仮入札結果に基づいて必要に応じて基本バイヤ還元率と市場価格とを修正し、仮単価に基づいて追加バイヤ募集のための募集価格を算出するようにし、本入札実行処理段階では、追加バイヤ募集のための募集価格を提示して追加バイヤを募集し、募集に対する追加バイヤの応募を受け付け、基本バイヤの購買数量に追加バイヤの購入数量を加えて本入札を実施し、基本バイヤの最終購買単価を決定し、基本バイヤの最終購買単価に基づいて追加バイヤの最終購買単価を決定するようにした。【選択図】図２
2004038302.tif 000002
【特許請求の範囲】
【請求項１】
基本バイヤからの購買申し込みで実行される仮入札と、この仮入札に対する追加バイヤからの相乗り入札申し込みで実行される本入札とからなるコンピュータを用いた共同購買方法であって、
仮入札前処理手段は、対象購買商品について、基本バイヤからの共同購買実施申し込みを受け付けて、基本バイヤ還元率を決定し、市場価格を設定するステップを実行し、
仮入札実行処理手段は、基本バイヤの購買数量に基づいた仮入札を実施し、仮単価を決定し、当該仮入札結果に基づいて必要に応じて基本バイヤ還元率と市場価格とを修正し、前記仮単価に基づいて追加バイヤ募集のための募集価格を算出するステップを実行し、
本入札実行処理手段は、前記追加バイヤ募集のための募集価格を提示して追加バイヤを募集し、当該募集に対する追加バイヤの応募を受け付け、前記基本バイヤの購買数量に前記追加バイヤの購入数量を加えて本入札を実施し、基本バイヤの最終購買単価を決定し、当該基本バイヤの最終購買単価に基づいて追加バイヤの最終購買単価を決定するステップを実行する共同購買方法。
【発明の詳細な説明】
【０００１】
【発明の属する技術分野】
本発明は、ネットワークを用いた共同購買方法に関する。
【０００２】
【従来の技術】
インターネットの急速な普及により、消費者はネットワークに接続された端末から各種の商品購入が可能になった。また、このような購入形態の変化にともなって、ネットワークを介したオークションや共同購買も実現してきた。
【０００３】
ところで、現状のネットワークによる共同購買は、コンシュマーに対するインターネット共同購買自体は成立しているものの、事業としての企業間での共同購買は以下のような理由により成り立ちにくいのが現状だった。
【０００４】
【発明が解決しようとする課題】
以上のようにインターネット上での共同購買が事業者間で成り立ちにくい原因としては、第１に、商品仕様が統一されていなければ共同購買そのものが成立しないにもかかわらず、商品仕様を統一するための対策が講じられていないという問題があった。
【０００５】
第２に、デリバリ条件が異なる共同購買では、サプライヤはデリバリ条件の差異を理由に各々のバイヤ向け販売価格を設定するので、購入者は共同購買に起因した購買量増加による単価低減という利益を享受することが難しかった。
【０００６】
本発明は、これらの点を技術的な仕組みにより解決し、共同購買を事業として成立させることのできる技術思想を提供するものである。
【０００７】
【課題を解決するための手段】
本発明は、前記課題を解決するために以下の手段を採用した。
【０００８】
すなわち、共同購買の入札システムを２段階、つまり基本バイヤによる仮入札と、基本バイヤに追加バイヤがいわば相乗りする形による本入札とに分けて、共同購買の実現に基づいて、基本バイヤにも共同購買をアレンジする主催者の利益の一部が還元されるようにしたものである。
【０００９】
より具体的には、本発明は、基本バイヤからの購買申し込みで実行される仮入札と、この仮入札に対する追加バイヤからの相乗り入札申し込みで実行される本入札とからなるコンピュータを用いた共同購買方法において、仮入札の前処理と、仮入札の実行と、本入札の実行との段階に分けて、
仮入札前処理では、対象購買商品について、基本バイヤからの共同購買実施申し込みを受け付けて、基本バイヤ還元率を決定し、市場価格を設定するようにし、
仮入札実行処理段階では、基本バイヤの購買数量に基づいた仮入札を実施し、仮単価を決定し、当該仮入札結果に基づいて必要に応じて基本バイヤ還元率と市場価格とを修正し、前記仮単価に基づいて追加バイヤ募集のための募集価格を算出するようにし、
本入札実行処理段階では、前記追加バイヤ募集のための募集価格を提示して追加バイヤを募集し、当該募集に対する追加バイヤの応募を受け付け、前記基本バイヤの購買数量に前記追加バイヤの購入数量を加えて本入札を実施し、基本バイヤの最終購買単価を決定し、当該基本バイヤの最終購買単価に基づいて追加バイヤの最終購買単価を決定するようにしたものである。
【００１０】
このように本発明によれば、大口バイヤ（基本バイヤ）の単価契約に複数の小口バイヤ（追加バイヤ）が相乗りする入札システムであり、予め商品仕様や募集価格等の契約内容を提示するため、共同購買そのものが成立しやすくなる。
【００１１】
また、基本単価契約のデリバリ条件に準拠できるバイヤ（追加バイヤ）のみが共同購買に参加することになるため、サプライヤからみるとデリバリ条件の異なるバイヤに対して各々の条件を勘案した単価を勘案する必要がなくなり、従来の共同購買の第２の問題点も解消できる。
【００１２】
【発明の実施の形態】
以下、図面に基づいて、本発明の実施の形態を説明する。
【００１３】
図１は本実施形態の価格低減の概念を説明する図、図２は本実施形態を実現するためのシステム構成を示している。
【００１４】
本実施形態は、図２に示すように、ネットワーク１１１を介して接続される処理サーバ１００と、端末装置１１２〜１１５とで構成されている。ネットワーク１１１はインターネットのような汎用ネットワークであり、端末装置は基本バイヤ端末１１２、追加バイヤ端末１１３、サプライヤ端末１１４、及び共同購買運営者のためのＢ２ＢＰＦ端末１１５がある。
これらの各端末は、ネットワークに接続可能な情報処理装置で構成されており、特にＢ２ＢＰＦ端末１１５は、共同購買運営者が操作する端末として意味がある。すなわち、Ｂ２ＢＰＦ端末１１５は、追加バイヤの募集指示を処理サーバに送信する機能、本入札実施の指示命令を処理サーバに送信する機能、共同購買運営者手数料を入力する機能、市場価格を入力する機能、対市場価格割引率を入力する機能、本入札の際に基本バイヤと追加バイヤの購買予定数量合計値を入力する機能等を有している。
【００１５】
処理サーバ１００は汎用の情報処理装置であり、中央処理装置（ＣＰＵ）１０１を中心に、バス（ＢＵＳ）１０８を介してメインメモリ（ＭＭ）１０２、ハードディスク装置（ＨＤ）１０４、表示装置（ＤＩＳ）１０６、入力装置（ＫＢＤ）１０７、印刷装置（ＰＲＴ）１０５等で構成されている。
【００１６】
ハードディスク装置（ＨＤ）１０４内には、ＯＳ（ＯｐｅｒａｔｉｎｇＳｙｓｔｅｍ）とともに、サーバプログラムや本実施形態で説明する仮入札、本入札の受け付け処理、仮単価設定等のためのプログラム、各バイヤのデータ等のデータベースが登録されるようになっている。
なお、必要に応じてＣＤ−ＲＯＭドライブ装置１０９等の周辺装置を有していてもよい。また、カタログ発注システム１１６や、与信・決済システム１１７を用いることができる。
【００１７】
図１に示すように、本実施の形態の共同購買は、基本バイヤ（大口バイヤ）による仮入札と、追加バイヤによる相乗り入札（本入札）により、共同購買を成立させるようになっている。すなわち、仮入札及び本入札の実施を経ることで契約価格が決定され、その契約価格に基づき購買契約が締結される。
【００１８】
より具体的には、これらの手順として、（１）仮入札の実施、（２）サプライヤと追加バイヤ募集条件の設定、（３）追加バイヤの募集、（４）本入札の実施、（５）契約・受発注・決済の段階、がある。以下説明する。
【００１９】
（１）仮入札の実施
基本バイヤ（大口バイヤ）の単価契約を共同購買の基礎とするため、他バイヤ（追加バイヤ）の相乗りを前提に競争入札（仮入札）を実施する。この仮入札は基本バイヤの要求に基づいた入札として実施される。
【００２０】
処理サーバ（中央処理装置）１００は、当該基本バイヤ端末からの入札申し込みを受け付けると、当該基本バイヤの従来購買価格（従来単価：図１では１００）と市場価格とを参照して、基本バイヤ還元率と、共同購買運営手数料と、対市場価格割引率、レンジ別購買予定数量を算出し、入札画面を生成してネットワーク１１１を介して基本バイヤ端末１１２およびサプライヤ端末１１４上に表示させる。これらのそれぞれの算出について以下に説明する。
ここで、基本バイヤ還元率は、基本バイヤが基本バイヤ端末１１２を介して、０％、３％または５％のいずれかを選択入力し処理サーバ１００に送信することによって設定される。
また、共同購買運営手数料は、共同購買運営者がＢ２ＢＰＦ端末で入力した手数料率に基づいて処理サーバ１００が算出する。
また、市場価格割引率は、共同購買運営者がＢ２ＢＰＦ端末から入力した値が処理サーバ１００の処理で使用される。
対市場価格割引率は、共同購買運営者がＢ２ＢＰＦ端末から入力することにより処理サーバ１００に設定される。
レンジ別購買予定数量は、後述のレンジで決定された率を共同購買運営者がＢ２ＢＰＦ端末から選択入力し、これに対して処理サーバ１００が基本バイヤの購買予定数量に乗じることで算出される。なお、このとき後述のレンジによる設定は処理サーバ１００において予めプログラムしておいてもよい。
【００２１】
（基本バイヤ還元率）
基本バイヤが基本バイヤ端末より設定する。具体的には仮単価の０％、３％または５％のいずれかから選択する。
【００２２】
（共同購買運営手数料）
処理サーバ１００の運営手数料である。共同購買運営者がＢ２ＢＰＦ端末から仮単価の数％と設定する共同購買運営手数料率から処理サーバ１００が算出する。
【００２３】
（対市場価格割引率）
対市場価格割引率とは、最大レンジ（ここでは、図４、図５に示すレンジ５）に属する追加バイヤに対して提示する追加バイヤ募集価格を市場価格の何％引きとするかの値である。共同購買運営者がＢ２ＢＰＦ端末から当該品目の特性を勘案してもっとも購買予定数量が少ない追加バイヤであっても魅力を感じる値引率を設定する。
【００２４】
（レンジ別追加バイヤ募集価格の算出方法）
単契相乗り共同購買では、追加バイヤの購買予定数量に応じて購買価格に差をつけるため、購買予定数量に応じて追加バイヤを５つのレンジに分類する。レンジ毎の購買予定数量は、基本バイヤの購買予定数量から処理サーバ１００が算出する。
各々のレンジに該当する追加バイヤ募集価格は、図４及び図５に示すように、レンジ１に該当する追加バイヤ募集価格は仮入札時の仮単価に共同購買運営手数料と基本バイヤ還元額を加えたものである。レンジ５に該当する追加バイヤ募集価格は、市場価格に００２７で記述した対市場価格割引率を乗じた価格である。このレンジ５とレンジ１の差分を４等分した値をＫとし、レンジ２〜４に該当する追加バイヤ募集価格は以下の計算式に基づいて算出する。
【００２５】
レンジ２＝レンジ１＋Ｋ
レンジ３＝レンジ１＋Ｋ＋Ｋ＝レンジ２＋Ｋ
レンジ４＝レンジ１＋Ｋ＋Ｋ＋Ｋ＝レンジ３＋Ｋ
【００２６】
レンジ毎の購買予定数量は共同購買運営者がＢ２ＢＰＦ端末から設定する。なお、各レンジでの購買予定数量は、たとえばレンジ１は基本バイヤの購買予定数量の５０％以上、レンジ２は２５％以上、レンジ３は１０％以上、レンジ４は２．５％以上、レンジ５は２．５％未満と設定できる。
【００２７】
（２）サプライヤと追加バイヤ募集条件の設定
基本バイヤの単価契約に相乗りする追加バイヤの購買予定数量に応じた販売単価（基本単価からの割増率）を設定する。なお、追加バイヤに対する商品のデリバリ条件は、基本バイヤの基本単価契約に準拠して決定される。
【００２８】
（３）追加バイヤの募集
共同購買運営者は、Ｂ２ＢＰＦ端末１１５から処理サーバ１００に対して追加バイヤの募集を行う旨を指示する。このとき、処理サーバ１００は、追加バイヤが応募するための受け付け画面を生成して、追加バイヤ端末１１３に表示させることで、追加バイヤの募集を行う。
【００２９】
なお、追加バイヤ端末に表示される単価は前記で算出した各レンジの計算式に基づいた価格となっている。
【００３０】
また、追加バイヤが集まらなかった場合には基本バイヤのみとサプライヤとの単独の単価契約更改となる。
【００３１】
（４）本入札の実施
本入札は、共同購買運営者が行うＢ２ＢＰＦ端末からの指示に基づいて処理サーバが自立的に行う。このとき、処理サーバ１００は、基本バイヤの購入予定数量に追加バイヤの購入予定数量を加算して行う。
【００３２】
基本バイヤ向けの最終価格は、本入札後に決定される。具体的な基本バイヤの購入価格は、以下の式により算出される。
【００３３】
基本バイヤ購入価格＝落札価格＋仮単価×３％＋（本入札での低減価格−仮単価×３％）×１／２＜仮単価
なお、最終的な追加バイヤの購入価格の算出は図５に示す通りとなる。同図において、「Ｂ２ＢＰＦ」は処理サーバ１００の運営主体を意味している。
なお、ここでは共同運営者手数料率を３％としたが、これに限られるものではなく、当該手数料率は適宜決定することができる。
【００３４】
なお、サプライヤに対する入金価格の算出方法について図６および図７を用いて説明する。図６は仮入札前の入金価格の算出を図示したものであり、図７は仮入札後（本入札時）の入金価格の算出を図示したものである。
【発明の効果】
以上説明したように、本発明によれば、基本バイヤの単価契約に複数の追加バイヤが相乗りする入札システムであるため、共同購買そのものが成立しやすくなる。
【図面の簡単な説明】
【図１】本発明の共同購買における価格低減の実態を説明する図
【図２】本発明の共同購買システムを示すシステム構成図
【図３】実施形態における各タイミングでの価格計算の説明図
【図４】実施形態の追加バイヤ募集時の価格の算出説明図（１）
【図５】実施形態の追加バイヤ募集時の価格の算出説明図（２）
【図６】実施形態の仮入札前のサプライヤへの入金価格の算出説明図
【図７】実施形態の仮入札後のサプライヤへの入金価格の算出説明図
【符号の説明】
１００　処理サーバ
１０１　中央処理装置（ＣＰＵ）
１０２　メインメモリ（ＭＭ）
１０４　ハードディスク装置（ＨＤ）
１０５　印刷装置（ＰＲＴ）
１０６　表示装置（ＤＩＳ）
１０７　入力装置（ＫＢＤ）
１０８　バス（ＢＵＳ）
１１１　ネットワーク（インターネット）
１１２　基本バイヤ端末
１１３　追加バイヤ端末
１１４　サプライヤ端末
１１５　Ｂ２Ｂプラットフォーム端末
１１６　カタログ受発注システム
１１７　与信・決済システム
【図１】
2004038302.tif 000003
【図２】
2004038302.tif 000004
【図３】
2004038302.tif 000005
【図４】
2004038302.tif 000006
【図５】
2004038302.tif 000007
【図６】
2004038302.tif 000008
【図７】
2004038302.tif 000009